(57)【要約】【課題】脚を折畳むことができるとともに、脚を立ち起こして天板の下方の脚間にパネルを着脱可能に設けることにより、パネルによって脚間の目隠しをし、かつ、パネルを外すとともに脚を折畳んで容易に収納できるようにした折畳み机を提供することを目的とする。【解決手段】天板の裏面において、この天板の対向する長辺に沿って一対のケタを固設するとともに、これらのケタの両端近傍に脚を設け、かつ、これらの脚を折畳み又は立ち起こし可能に設けた折畳み机であって、前記脚と前記脚との間に着脱可能にパネルを跨設したことを特徴とする折畳み机である。【選択図】図５
0003130823.tif 000002
【実用新案登録請求の範囲】
【請求項１】
天板の裏面において、この天板の対向する長辺に沿って一対のケタを固設するとともに、
これらのケタの両端近傍に脚を設け、
かつ、これらの脚を折畳み又は立ち起こし可能に設けた折畳み机であって、
前記脚と前記脚との間に着脱可能にパネルを跨設したことを特徴とする折畳み机。
【請求項２】
前記パネルの辺部に凸部を備え、
かつ、前記天板の裏面における辺部近傍に凹部を掘り込み、
前記パネルの凸部を前記天板の凹部に着脱可能に嵌合したことを特徴とする請求項１記載の折畳み机。
【請求項３】
前記パネルの裏面における辺部近傍にマグネットを貼着し、
かつ、前記ケタを鉄製とし、
このケタに前記パネルを吸着可能に取付けることを特徴とする請求項１記載の折畳み机。
【考案の詳細な説明】
【技術分野】
【０００１】
この考案は、折畳み机に係わり、事務所や店頭のカウンター等で使用する立ち机、あるいは会議等で使用する座り机に関する。詳しくは、使用時には脚の間にパネルを着脱可能に跨設して目隠しをし、あるいは、不使用時にはパネルを外し、かつ、脚を折り倒して嵩高を減らすことにより、コンパクトにまとめて収納あるいは運搬することができるようにした折畳み机に関する。
【背景技術】
【０００２】
従来、事務机、座卓や経机等は通常は固定方式の脚が天板の下側に設けられている。しかし、このような固定脚を有する机は使用時には安定している。しかしながら、机を使用しないときには大きな収納スペースを必要とし、例えば、団地等のように収納スペースが小さい場合には保管場所の確保が大変であり、かかる机のために、他に収容すべき物を収納することができなくなったり、居住空間が狭められたりすることがある。また、嵩張るため、机を持って狭い通路を通過する場合等には脚を壁等にぶつけて脚や壁を傷つけたりすることもあり、あるいは、手軽に持ち運ぶこともできなかった。
【０００３】
このように、固定脚を有する机は使用時には安定している。しかし、片付ける場合にはそのままでは場所をとる。そこで脚を折り倒す構造にして折畳んだり、あるいは脚を天板にネジ締め構造で螺着し、かつ、螺着をゆるめて脚を外したりする。ところで、この折畳み構造のものでは、脚の付け根と天板との間に蝶番を設け、脚の折り倒し方向を互いに対抗する脚に向けた方向として内側に折り倒す。この場合、折り倒し方向の天板の長さが十分に長ければ、折り倒した対抗する脚同士が重なり合うことはないが、仮に天板の大きさに比し脚が長い場合、折り倒した脚が対抗する脚と重なり合うこととなるので折り倒すことが出来なくなる。また、折畳み机の場合、天板から下の四本脚の間が開放されるので、必要に応じて布切れ等を使って目隠しをするが見栄えが悪い。
【０００４】
ところで、折畳み机については、数々の構造のものが提案されている。その一例を以下に示す。天板の大きさが脚の長さに比し長くない経机等の机において、角柱からなる脚の側面を天板の側辺に揃えて平行に配置しても脚を倒した時に他の脚と重ならなくしてコンパクトに収納可能とし、脚を立てた時に脚の側面と天板の辺とが平行となり機能的な美しさを損なわなくした折りたたみ机を提供することである。この考案の構成は、天板と天板裏面に取り付けられた折り倒し又は立ち起こし可能な複数の脚からなる折りたたみ机において、複数の脚は天板裏面の中心に対して同一回転方向に位置する隣接脚の取付け部に向けて巴状に折り倒し又は立ち起こし可能に天板裏面３に取り付けられていることを特徴とする折りたたみ机である。（例えば、特許文献１参照）。
【０００５】
【特許文献１】特開平２００２−１５３３２７号公報
【考案の開示】
【考案が解決しようとする課題】
【０００６】
以上の通りであって、特許文献１に代表されるように、従来の机には、まとめると、次のような問題点がある。
【０００７】
即ち、従来の机の問題点の第一は、固定脚を有する机は使用時には安定していが、机を使用しないときには大きな収納スペースを必要とし、たとえば事務所や店頭等における受付、あるいは、団地等では収納スペースが狭いので机の保管場所の確保が大変である。
【０００８】
第二に、従来の折畳み机は、天板から下方の四本脚の間が開放されるので、必要に応じて布切れ等で目隠しをするが見栄えが悪い。
【０００９】
そこで、本考案の折畳み机は、このような従来の抱える問題点を解決するためになされたもので、脚を折畳むことができるとともに、脚を立ち起こして天板の下方の脚間にパネルを着脱可能に設けることにより、パネルによって脚間の目隠しをし、かつ、パネルを外すとともに脚を折畳んで容易に収納できるようにした折畳み机を提供することを目的としている。
【課題を解決するための手段】
【００１０】
そこで、本考案者等は、天板の下にパネルを設けることに着想し、この着想に基づき試作したところ、天板の下が目隠しできるとともに外観的に見栄えが良いといいう知見を得た。本考案の折畳み机はかかる知見を基に具現化したもので、請求項１の考案は、天板の裏面において、この天板の対向する長辺に沿って一対のケタを固設するとともに、これらのケタの両端近傍に脚を設け、かつ、これらの脚を折畳み又は立ち起こし可能に設けた折畳み机であって、前記脚との前記脚と間に着脱可能にパネルを跨設したことを特徴とする折畳み机である。
【００１１】
また、請求項２の考案は、請求項１の考案の上記特徴に加えて、前記パネルの辺部に凸部を備え、かつ、前記天板の裏面における辺部近傍に凹部を掘り込み、前記パネルの凸部を前記天板の凹部に着脱可能に嵌合したことを特徴とする折畳み机である。
【００１２】
また、請求項３の考案は、請求項１の考案の上記特徴に加えて、前記パネルの裏面における辺部近傍にマグネットを貼着し、かつ、前記ケタを鉄製とし、このケタに前記パネルを吸着可能に取付けることを特徴とする折畳み机である。
【考案の効果】
【００１３】
本考案の折畳み机は、脚を立てて使用する場合は天板の下の脚間をパネルによって目隠しできるので、事務所や店頭等におけるカウンターとして使用する場合に外観上見栄えが良く好ましい。しかも、本折畳み机は事務所等においてカウンター代わりに立ち机として使用可能であり、使い勝手が良い等の優れた効果を奏するものである。また、不使用時に、収納する際はパネルを外し、かつ、脚を折畳むことができるので、保管場所の確保が容易である。詳しくは、机からパネルを外し、かつ、脚を折畳んで嵩高を減らし、これらをコンパクトにまとめて収納、又は持ち運びができる。このように、本折り畳み机は、部品の分解性、あるいは、折畳み性に優れる。一方、例えば国税局等の役所によっては、確定申告の時期を境にカウンター机の使用頻度が変動するため、あるいは、カウンター机の経費節減のため、机をリース物件とするニーズが高い。このような場合、不使用時の机の保管場所を必要とせず、かつ、経費削減の効果も期待できる。その他、パネルの裏側にマグネットを備えたので、パネルを脚間に跨設する作業中にパネルがケタ部から外れるようなことが無く、長尺のパネルを一時的にケタ部に吸着させて一人作業を容易にする。
【考案を実施するための最良の形態】
【００１４】
本考案の実施の形態を、添付図面に示した本考案の実施例に基づいて以下に具体的に説明する。
【実施例１】
【００１５】
先ず、本考案の実施例について、図１〜図７を参照しながら説明する。図１は、組立てる前の状態の折畳み机を脚側からみた斜視図である。図２は、側面図である。図３は、正面パネルを裏面側から見た平面図である。図４は、側面パネルを立てて裏面側から見た斜視図である。図５は、組立て後の折畳み机を正面側から見た斜視図である。図６は、同上側面図である。図７は、同上天板表側から見た、一部断面図である。
【００１６】
本考案の折畳み机として、この実施の形態では椅子を使わない立ち机を例として説明する。机の天板は脚５の高さに比して比較的天板の横幅が小さいものである。組み立てる前の状態を図１、２に示すように、折畳み机Ｄは、長方形の木製の化粧板からなる天板１を有し、天板１の裏側へ折畳み、かつ、立ち起こし可能に四本の鉄製の脚５を設ける。以下、折畳み机Ｄは天板１の長辺を左右方向と称し、短辺を前後方向と称する。図１に示すように、天板１の裏面において、対向する長辺に沿って棒状の一対の鉄製のケタ２、２が、天板１と一体的に固設される。これらのケタ２の左右方向両端近傍に、脚支え５１、５１を備える。そして、脚支え５１のリベット５２の部位に脚５の付け根を内側へ折り曲げ可能に設ける。また、ケタ２と脚５とをリンク連結するステー３が設けられ、脚５側にリベット５３とケタ２側にリベット２１とこれらの間にリベット３１を備える。即ち、ステー３は、リベット３１、２１、５３の構成によって、これらのリベットを支点として回動するようにリンク機構として構成される。更に、棚４が長辺に沿って設けられ、両側のステー３、３のリベット３１、３１にリンク連結する。折畳み机が立ち机として使用される時には、ステー３は真直ぐに突っ張ってケタ２と脚５との間を直角に保持するように作用する。一方、折畳み机を折畳む時は、ステー３はリベット３１を中にして、くの字状に折れ曲がり、同時に脚５はリベット５２を軸としてケタ２側へ折れ曲がる。脚４は長く、立ち机として使用する都合上、全体高さは９００ｍｍであり会議等で使用する座り机の７００ｍｍよりかなり高い。
【００１７】
折畳み机Ｄを折畳んで積み重ねる際に、下方の天板１を傷付けることの無いように、脚５の付け根に近い部位に緩衝パッキン５４を備える。また、天板１の短辺方向に脚５、５間を補強するように、連結棒６、６を上下二段に設ける。これらの連結棒６、６の中央に穴６１、６１を備える。また、脚５の下方正面側に、Ｌ字上の金具５５を取り付ける。その他、脚の先端には、高さ微調整用のアジャストボルト５５を設ける。
【００１８】
これらに加えて、折畳み机Ｄの天板１の下方を覆うために、前方に正面パネル７と、左右端に側面パネル５、５を設ける。図３に裏面から見た正面パネル７を示し、正面パネル７は略矩形状の薄い木製の化粧板である。正面パネル７の長辺は略天板１の長辺と同じ長さであり、短辺寸法は天板１の下方を覆うスペースによって決まる。正面パネル７の左右短辺に凸部７１、７１を備え、かつ、上方の長辺に沿って長凸部７３を備え、この両端にマグネット７２、７２を貼着する。これらのマグネット７２、７２によって、正面パネル７は鉄製のケタ２に磁力で吸着される。一方、図４に裏面から見た側面パネル８を示し、側面パネル８は略矩形状の薄い木製化粧板である。側面パネル８の短辺は、天板１の短辺と略同じ長さであり、長辺は天板１の下方を覆う高さスペースによって決まる。側面パネル８は上方の短辺の中央に凸部８２を備え、その他各種形状の凹部を備える。側面パネル８の上方短辺の両端に凹部８３、８３を備え、これらの直ぐ下方に凹部８４、８４を備え、更に下方左右に細長の凹部８１、８１を備える。
【００１９】
以上のように構成され、次に本実施の形態にかかわる折畳み机の組み立ておよび収納手順について説明する。
【００２０】
折畳み机を組み立てる時、図１に示す机の天板１を下にして脚５が上になるように置く。先ず、ケタ２に折り重なっている四本の脚５をリベット５２の部位を支点として回動して立てる。同時に、くの字状に折れ曲がったステー３をリベット３１の部位から直線状に伸ばしたところで、止めに、ステー３を突っ張って脚５とケタ２との間を直角に保持する。次いで、脚５とケタ２との間がロックされたことをステー３の真直具合によって目視で確認した後、天板１を上にして脚５が下になるようにする。次に、正面パネル７を天板１の長辺に沿って脚５、５の間に跨設する。正面パネル７の下方長辺を脚５、５に設けたＬ字状の金具５５、５５の上に載せる。これと同時に、天板１の裏面１１の長辺近傍において平行に刻んだ長凹部１３へ正面パネル７の長辺上端の長凸部７３を嵌め込む。この時、正面パネル７の裏面に備えるマグネット７２、７２が鉄製のケタ２に吸着されるので、正面パネル７が組み立て作業中に外れることがなく、長尺の正面パネル７を一人で持ち上げて容易に組み付けることができる。次いで、側面パネル８を取り付ける。側面パネル８に備える凸部８２を天板１の裏面１１の短辺近傍に掘り込んだ凹部１２へ嵌めこむ。なお、天板１の裏面１１に掘り込んだ長凹部１３および凹部１２については図７に示す。同時に、側面パネル８に備える凹部８３、８３を脚５の付け根に備える突起状の脚支え５１、５１に嵌めこむ。同様に、凹部８４、８４を脚５の根付に供える突起状の緩衝パッキン５４、５４の上から嵌めこむ。更に、細長く掘り込んだ凹部８１、８１を正面パネル７の短辺に備える突起状の凸部７１、７１へ嵌めこむ。同時に、天板１の裏側下方の四本の脚５の内側から蝶ボルト６２、６２を連結棒６、６の穴６１、６１を貫通させて側面パネル８の埋め込みナット８５に螺着する。他方の側面パネル８についても同様である。このようにして、折畳み机Ｄの組み立てが完了し、図５に示す。
【００２１】
折畳み机Ｄを分解して収納する場合は、基本的には以上と逆の手順によればよい。先ず、折畳み机Ｄの側面パネル８を螺着している二箇所の蝶ボルト６２、６２の螺着を弛めて連結棒６、６から外す。他方の側面パネル８についても同様である。同時に、側面パネル８上辺の凸部８２を天板１の裏面に掘り込んだ凹部１２から外すとともに、正面パネル７の突起７１、７１からも外す。これらのことによって、正面パネル７の長辺方向の拘束が解かれる。次いで、左右の支持金具５５、５５の上に載置された正面パネル７を、マグネット７２、７２により吸着している鉄製のケタ２から外し、持ち上げるようにして外す。このようにして、正面パネル７、左右の側面パネル８、８が別体として分離され、かつ、折畳み机Ｄの四本の脚５が内側へ折り曲げられ、しかも夫々の脚５は互いに重なることが無いので、折畳み机Ｄの嵩高を減らすことができる。折畳み机Ｄが分解された後は狭いスペースに収納することができ、かつ、コンパクトにまとまるので、例えばリースの場合車での運搬等が容易である。
【産業上の利用可能性】
【００２２】
なお、本考案の折畳み机の使途は、会議で使用する座り机の他、座卓や経机やアイロン台やちゃぶ台等の座位で使用する机として使い勝手がよい。
【図面の簡単な説明】
【００２３】
【図１】本考案における、組み立てる前の状態の折畳み机を脚側からみた斜視図である。
【図２】同上、側面図である。
【図３】同上、正面パネルを裏面側から見た平面図である。
【図４】同上、側面パネルを裏面側から見た斜視図である。
【図５】同上、組立て後の折畳み机を正面側から見た斜視図である。
【図６】同上、側面図である。
【図７】同上、天板表側から見た、一部断面図である。
【符号の説明】
【００２４】
Ｄ  折畳み机
１  天板
１１  裏面
１２  凹部
１３  長凹部
２  ケタ
２１  リベット
３  ステー
３１  リベット
４  棚
４１  側棒
５  脚
５１  脚支え
５２、５３  リベット
５４  緩衝パッキン
５５  金具
５２  アジャストボルト
６  連結棒
６１  穴
６２  蝶ボルト
７  正面パネル
７１  凸部
７２  マグネット
７３  長凸部
８  側面パネル
８１、８３、８４  凹部
８２  凸部
８５  埋込みナット
【図１】
0003130823.tif 000003
【図２】
0003130823.tif 000004
【図３】
0003130823.tif 000005
【図４】
0003130823.tif 000006
【図５】
0003130823.tif 000007
【図６】
0003130823.tif 000008
【図７】
0003130823.tif 000009